(57)【要約】【課題】  シートの厚さやクッション性を自由に変更することができ、かつ保温性及び通気性に優れた緩衝用マットを提供する。【解決手段】  平面状のベースフィルム５と多数の凸部６ａを形成したエンボスフィルム６とを貼り合わせて凸状の独立した気泡を有する気泡性緩衝シート２を、多孔質構造を有する樹脂板４からなる樹脂部材３に貼り合わせて形成した。これにより、樹脂部材３や気泡性緩衝シート２を適宜調整することによって、緩衝用マット１の厚さやクッション性を使用者が自由に変更することが可能になる。また、気泡性緩衝シート２を利用することにより、保温性に優れた構成とすることができ、また樹脂板４が多孔質構造を有することから通気性にも優れた緩衝用マット１を提供することが可能になる。【選択図】図１
2011172613.tif 000002
【特許請求の範囲】
【請求項１】
多数の凸部を形成したエンボスフィルムと平面状のベースフィルムとを貼り合わせて凸状の独立した気泡を有する気泡性緩衝シートを、多孔質構造を有する樹脂板からなる樹脂部材に貼り合わせてなることを特徴とする緩衝用マット。
【請求項２】
樹脂部材は、複数の樹脂板を積層させてなる請求項１記載の緩衝用マット。
【請求項３】
樹脂部材は、複数の樹脂板の間に、多孔質構造を有する樹脂板に空間部が設けられた芯部材を積層してなり、空間部は樹脂部材の外部と連通するように形成されている請求項２記載の緩衝用マット。
【請求項４】
樹脂板が、２枚の平板からなるライナーの間を互いに平行に走る多数のリブが接続された構造を有する請求項１〜３のいずれか１項に記載の緩衝用マット。
【請求項５】
樹脂板が、連続気泡を有する発泡体からなる発泡成形板である請求項１〜３のいずれか１項に記載の緩衝用マット。
【請求項６】
複数の樹脂板は、それぞれの樹脂板のリブが互いに交差するように積層されてなる請求項４記載の緩衝用マット。
【請求項７】
気泡性緩衝シートのベースフィルムがアルミ蒸着フィルム又はアルミ箔ラミネートフィルムである請求項１〜６のいずれか１項に記載の緩衝用マット。
【請求項８】
独立気泡の大きさが異なる複数の気泡性緩衝シートを樹脂部材に貼り合わせてなる請求項１〜７のいずれか１項に記載の緩衝用マット。
【請求項９】
請求項１〜８のいずれか１項に記載の緩衝用マットを複数用いた折り畳み式緩衝用マットにおいて、
緩衝用マットを収納可能な複数の収納部と、収納部と収納部の間に形成された折り畳み代を有する袋体を備え、
それぞれの緩衝用マットをそれぞれの収納部へ収納し、袋体を折り畳み代にて折り畳み可能にした折り畳み式緩衝用マット。
【発明の詳細な説明】
【技術分野】
【０００１】
本発明は、緩衝用マット及び折り畳み式緩衝用マットに関する。
【背景技術】
【０００２】
ベッドや枕のような寝具、座布団には、従来から緩衝性を有する緩衝用マットが用いられている。例えば、ベッド用に用いられている緩衝用マットとしては、コイルスプリングを用いたもの、軟質樹脂やウレタン樹脂の発泡体を用いたものがある。例えば、コイルスプリングを用いたものとしては、第１のコイルスプリングを林立配置させた第１のコイルスプリング層と、第１のコイルスプリングとは形状等が異なる第２のコイルスプリングを林立配置させた第２のコイルスプリング層と、これら第１のコイルスプリング層と第２のコイルスプリング層の間に緩衝層を設けるように構成した緩衝用マットが従来から知られている（特許文献１）。また、軟質樹脂やウレタン樹脂の発泡体を使用したものとしては、合成樹脂を材料として一体的に形成された平板状の緩衝材が開示されている（特許文献２）。近年は、発泡体以外のものとして、ポリマーゲルや水等の液体を利用したものも知られており、例えば水液や水溶性ポリマーを用いた含水ゲル状物を用いたマットレス状をなすウォーターベッドが開示されている（特許文献３）。
【先行技術文献】
【特許文献】
【０００３】
【特許文献１】特許第４２５７３８７号公報
【特許文献２】特開２００６−１６７０２５号公報
【特許文献３】特許第２６８４３３１号公報
【発明の概要】
【発明が解決しようとする課題】
【０００４】
上記した各特許文献に記載の緩衝用マットは、使用者の寝心地又は座り心地をよくするために、ある程度の高さと硬さ、クッション性（以下、クッション性等という。）を維持することが必要であり、そのために所定の厚さを有するように形成されている。しかし、クッション性等をどの程度にしたら寝心地又は座り心地がよいかは使用者によって異なるため、所定の厚さを有するように形成して、クッション性等を維持することができるように形成された従来の緩衝用マットは、必ずしも使用者にとって寝心地又は座り心地のよいものとは限らないという問題があった。
【０００５】
このような問題を解決するためには、使用者が緩衝用マットのクッション性等を調節できるようにすることが得策ではある。しかし、従来の緩衝用マットは、構造上、使用者が緩衝用マットのクッション性等を調節することが困難であるという問題があった。
【０００６】
例えば、上記したコイルスプリング層を有する緩衝用マットの場合には、クッション性等を調節するためには林立したコイルスプリングを取り替えなければなければならない。また合成樹脂や液体を緩衝用マットに使用する場合にも、使用者が緩衝用マットのクッション性等を調節するためには緩衝用マット内に充填された液体の量を調整したり、調整後に液体が外部へ漏れないようにしなければならない。しかし、使用者がこのような作業を行うことは非常に困難であったため、使用者は、緩衝用マットが寝心地又は座り心地のよいクッション性等を有していなかった場合でも、その緩衝用マットをそのままの状態で使用しなければならないという問題があった。
【０００７】
また、上記した特許文献に記載の緩衝用マットは、人体から発する汗、臭い又は垢等を吸収しやすく、不衛生になりがちであるものの、洗濯をするのが困難で、仮に洗濯をすることが可能であったとしても時間と費用がかかってしまうという問題もあった。さらに、上記した特許文献に記載の緩衝用マットは、クッション性等を維持するためにある程度の厚さが必要になるところ、厚みのある緩衝用マットは折り畳むのが困難で、仮に折り畳めたとしても２〜３回折り畳むことができる程度であった。そのため、緩衝用マットをコンパクトに収納することができず、収納スペースを確保しなければならないという問題もあった。
【０００８】
本発明は、使用者がクッション性等を調節することができ、かつ衛生的な状態を維持することが可能な緩衝用マット、及び折り畳み式緩衝用マットを提供することを目的とする。
【課題を解決するための手段】
【０００９】
本発明は、
（１）多数の凸部を形成したエンボスフィルムと平面状のベースフィルムとを貼り合わせて凸状の独立した気泡を有する気泡性緩衝シートを、多孔質構造を有する樹脂板からなる樹脂部材に貼り合わせてなることを特徴とする緩衝用マット、
（２）樹脂部材は、複数の樹脂板を積層させてなる上記（１）記載の緩衝用マット、
（３）樹脂部材は、複数の樹脂板の間に、多孔質構造を有する樹脂板に空間部が設けられた芯部材を積層してなり、空間部は樹脂部材の外部と連通するように形成されている上記（２）記載の緩衝用マット、
（４）樹脂板が、２枚の平板からなるライナーの間を互いに平行に走る多数のリブが接続された構造を有する上記（１）〜（３）のいずれか１つに記載の緩衝用マット、
（５）樹脂板が、連続気泡を有する発泡体からなる発泡成形板である上記（１）〜（３）のいずれか１つに記載の緩衝用マット、
（６）複数の樹脂板は、それぞれの樹脂板のリブが互いに交差するように積層されてなる上記（４）記載の緩衝用マット、
（７）気泡性緩衝シートのベースフィルムがアルミ蒸着フィルム又はアルミ箔ラミネートフィルムである上記（１）〜（６）のいずれか１つに記載の緩衝用マット、
（８）独立気泡の大きさが異なる複数の気泡性緩衝シートを樹脂部材に貼り合わせてなる上記（１）〜（７）のいずれか１つに記載の緩衝用マット、
（９）上記（１）〜（８）のいずれか１つに記載の緩衝用マットを複数用いた折り畳み式緩衝用マットにおいて、緩衝用マットを収納可能な複数の収納部と、収納部と収納部の間に形成された折り畳み代を有する袋体を備え、それぞれの緩衝用マットをそれぞれの収納部へ収納し、袋体を折り畳み代にて折り畳み可能にした折り畳み式緩衝用マット、
を要旨とする。
【発明の効果】
【００１０】
本発明の緩衝用マットによれば、多孔質構造を有する樹脂板からなる樹脂部材に気泡性緩衝シートを貼り合わせることにより構成しているので、使用者は樹脂部材や気泡性緩衝シートを適宜選択することができる。そのため、使用者は、使用者にとって最も寝心地又は座り心地のよいクッション性等を有する緩衝用マットを得ることが可能になる。また、本発明の緩衝用マットは、気泡性緩衝シートと樹脂部材から構成することにより軽量化を図ることができ、例えば老人や子供のように力のない者であっても簡単に持ち運ぶことが可能になる。また、本発明によれば、使用者が樹脂部材や気泡性緩衝シートの大きさ又は形状を種々選択することができるので、使用者の要求にあった大きさ又は形状の緩衝用マットを提供することが可能になる。さらに、本発明の緩衝用マットは、樹脂部材と気泡性緩衝シートとから構成されているので水洗いすることが出来る。そのため、緩衝用マットに付着した人体の汗、臭い又は垢等を簡単に取り除くことができ、常に衛生的な状態を維持することが可能になる。
【００１１】
また、本発明の折り畳み式緩衝用マットは、上記した構成の緩衝用マットを袋体に複数個収納して折り畳み可能にしたものであるから、従来の緩衝用マットに比べて軽量化を図ることが可能になる。また、本発明の折り畳み式緩衝用マットは、従来の緩衝用マットに比べて折り畳み時の大きさもコンパクトにすることができるので、収納スペースを確保する必要がなく、スペース効率を向上させることも可能になる。また、本発明の折り畳み式緩衝用マットは、使用者が緩衝用マットの大きさ又は形状を種々選択することができるので、使用者の要求にあった大きさ又は形状の緩衝用マットを提供することが可能になる。さらに、本発明の折り畳み式緩衝用マットは、折り畳むとクッション性等を有する緩衝用マットを複数段に重ねた状態になるので、外部からの衝撃を吸収することができる。そのため、折り畳み時にはバンパー等のような緩衝部材としても使用することができ、ベビーカーや車椅子のような軽車両の前面に装着することにより、軽車両を利用する者の安全性を向上させることも可能になる。
【図面の簡単な説明】
【００１２】
【図１】（ａ）は、本発明の第１の実施の形態に係る緩衝用マットの構成を表した外観斜視図である。（ｂ）は、図１（ａ）におけるＡ−Ａ’線の拡大断面図である。
【図２】第１の実施の形態に係る緩衝用マットの変更例の構成を表した外観斜視図である。
【図３】（ａ）は、本発明の第２の実施の形態に係る緩衝用マットの構成を表した外観斜視図、（ｂ）は、第２の実施の形態に係る緩衝用マットの変更例の構成を表した外観斜視図である。
【図４】第３の実施の形態に係る緩衝用マットの構成を表した分解斜視図である。
【図５】本発明に係る折り畳み式緩衝用マットにおいて、緩衝用マットを袋体へ収納するところを表した説明図である。
【図６】本発明に係る折り畳み式緩衝用マットの構成を表した外観斜視図である。
【発明を実施するための形態】
【００１３】
本発明に係る第１の実施の形態の緩衝用マットの構成を図１に基づいて説明する。図１（ａ）は、本実施の形態に係る緩衝用マットの構成を表した外観斜視図、図１（ｂ）は、図１（ａ）におけるＡ−Ａ’線の拡大断面図である。
【００１４】
図１に示すように、本形態の緩衝用マット１は、気泡性緩衝シート２を樹脂部材３に貼り合わせて構成されている。本実施の形態では、樹脂部材３は１枚の樹脂板４から構成されている。気泡性緩衝シート２は、緩衝用マット１のクッション性を確保するためのもので、平面状のベースフィルム５と多数の凸部６ａを形成したエンボスフィルム６とを熱融着等の方法により貼り合わせて、凸状の独立した気泡が形成されたシートである。このベースフィルム５及びエンボスフィルム６には、ポリエチレン製のシートが使用されている。気泡性緩衝シート２は、例えば気泡の大きさが異なるものに取り替えることによって、使用者にあったクッション性を有するように調節することが可能になっている。
【００１５】
樹脂部材３は、本実施の形態では１枚の樹脂板４から構成されており、樹脂板４は、２枚の平板７ａ，７ｂからなるライナー７の間を互いに平行に走る多数のリブ８が接続された構造を有するプラスチック段ボールにより形成されている。樹脂板４にプラスチック段ボールを使用することにより、緩衝用マット１の通気性を向上させることが可能になる。なお、樹脂板４には、プラスチック段ボールの他に、例えば連続気泡を有する発泡体からなる発泡成形板を用いてもよい。発泡成形板は、板内に形成される連続気泡が種々の方向へ向くように形成されるので、特定の方向に対する強度と他の方向に対する強度との間にバラツキがなく、発泡成形板全体の強度を均一にすることが可能になる。
【００１６】
本実施の形態の緩衝用マット１によれば、気泡性緩衝シート２を用いることによってクッション性を向上させると共に、樹脂部材３を用いることによって緩衝用マット１の剛性を向上させることができるので、気泡性緩衝シート２と樹脂部材３を適宜選択することによって、クッション性及び剛性を任意に調節することができる。しかも、この調節は、気泡性緩衝シート２と樹脂部材３を貼り合わせるだけでよいので、使用者でも簡単に調節することが可能になる。また、使用者は、気泡性緩衝シート２、樹脂部材３の大きさ又は形状を種々選択することもできるので、使用者の要求にあった緩衝用マット１を提供することも可能になる。さらに、本実施の形態に係る緩衝用マット１は、使用することによって使用者の汗、臭い、垢などが付着しても水洗いで十分に汚れを落とすことができ、乾燥後に再度利用することができるので、衛生面でも良好な緩衝用マットを提供することが可能になる。また、本実施の形態の緩衝用マット１は、気泡性緩衝シート２と樹脂部材３により構成されているので、非常に軽量で、例えば老人や子供のように力のない人でも簡単に持ち運ぶことが可能である。さらに、本実施の形態の緩衝用マット１は、樹脂のリブ８とリブ８の間に空間が形成されているので、この空間を通じて通気性を向上させることができ、緩衝用マット１内に湿気や熱気が溜まることを防止することが可能になる。
【００１７】
なお、上記したベースフィルム５には、アルミ蒸着フィルム又はアルミ箔ラミネートフィルムを用いることが好ましい。アルミ蒸着フィルム又はアルミ箔ラミネートフィルムを用いることによって使用者から放射される熱をポリエチレン製のシートに比べて効率よく輻射させることができ、緩衝用マット１における保温性を向上させることが可能になる。また、アルミ蒸着フィルム又はアルミ箔ラミネートフィルムにより熱を輻射しやすい面と、さほど熱を輻射しない面とを形成することができるので、季節によって面を使い分けることで、通年使用することができ、使用効率も大幅に向上させることが可能になる。
【００１８】
例えば、冬場などの寒い時期には、アルミ蒸着フィルム又はアルミ箔ラミネートフィルムによって使用者から放射される熱を輻射させることができる面を使用し、夏場などの暑い時期には、使用者から放射される熱をさほど輻射しない面を使用するというように、使用する面を変えることのみによって、簡単に季節に応じて使い分けることができる。なお、このアルミ蒸着フィルム又はアルミ箔ラミネートフィルムは、ベースフィルム５に用いる場合のほか、エンボスフィルム６の先端側に、該エンボスフィルム６とは別のフィルムとして設けてもよい。この場合には、ベースフィルム５又はエンボスフィルム６の先端側のどちらかに設ければよい。
【００１９】
また、この気泡性緩衝シート２は１枚でなくてもよく、複数枚の気泡性緩衝シート２を貼り合わせて積層させてもよい。このように積層することで、１枚の気泡性緩衝シート２を貼り合わせた場合よりもクッション性をより向上させることが可能になる。このとき、気泡性緩衝シート２に形成される凸状の独立した気泡の大きさが異なるものを貼り合わせることが好ましい。独立気泡の大きさが異なる複数の気泡性緩衝シート２を貼り合わせて積層させることにより、クッション性の調整をより細かく行うことができ、使用者にとっての寝心地又は座り心地のよいクッション性により近づけることが可能になる。なお、この場合には、気泡性緩衝シート２同士は、接着等の方法によって固定することができるが、固定方法はこれ以外の方法でもよい。
【００２０】
次に、本実施の形態に係る緩衝用マット１の変更例の構成について、図２に基づいて説明する。図２は、本実施の形態に係る緩衝用マットの変更例の構成を表した外観斜視図である。なお、本変更例の説明において、前記した緩衝用マットと同一の構成の部分については説明を省略し、符号も同じものを使用する。図２に示すように、本変更例の緩衝用マット１１は、樹脂板４の上面４ａと下面４ｂに気泡性緩衝シート２、１２が貼り合わされている。この点で、本変更例は、上記した本実施の形態の緩衝用マット１とは構成が相違する。このように、樹脂板４の上面４ａと下面４ｂに気泡性緩衝シート２，１２を貼り合わせることによって、緩衝用マット１１のクッション性をより向上させることが可能になる。
【００２１】
このように形成された本実施の形態の緩衝用マット１，１１は、軽量であること、水洗いすることが可能で衛生的であること、及び変形し難いことから、例えば、旅館の宴会場、居酒屋などの座布団として用いることが可能である。また、一辺が３０ｃｍ程度になるように形成した緩衝用マット１，１１の場合は、スポーツ観戦用の簡易座布団としても利用することが可能である。また、気泡性緩衝シート２によって保温力も有するので、寒冷地の屋外においても利用することが可能である。
【００２２】
なお、本変更例において、気泡性緩衝シート２，１２に形成される凸状の独立した気泡の大きさは、同じでもよいし異なっていてもよい。また、気泡性緩衝シート２，１２に対して更に気泡性緩衝シートを積層させる場合には、気泡性緩衝シート２，１２と、更に積層される気泡性緩衝シートとのそれぞれに形成される凸状の独立した気泡の大きさも、同じでもよいし異なっていてもよい。
【００２３】
次に、本発明に係る第２の実施の形態の緩衝用マットについて、図３（ａ）に基づいて説明する。図３（ａ）は、本発明の第２の実施の形態に係る緩衝用マットの構成を表した外観斜視図である。なお、上記した第１の実施の形態の緩衝用マットと同一の構成の箇所については説明を省略し、符号も同一のものを使用する。
【００２４】
図３（ａ）に示すように、本実施の形態の緩衝用マット２１は、樹脂部材２２が２枚の樹脂板２３，２４を積層させて構成されている。これら樹脂板２３，２４は、高さ方向の幅が同一のものを使用しており、それぞれの樹脂板２３，２４のリブ２５，２６が互いに平行になるように積層されている。このように、２枚の樹脂板２３，２４を積層することにより、緩衝用マット２１の高さを簡単に調節することができ、例えばこの緩衝用マット２１を枕の構成部材として使用した場合に、使用者が寝心地のよい高さになるように、枕の高さを任意に調節することができる。しかも、この調節は、樹脂板２３，２４を積層するだけでよいので、高さ調節をしたことのない使用者であっても、非常に簡単に高さ調節をすることが可能になる。
【００２５】
なお、本実施の形態では２枚の樹脂板２３，２４を積層させているが、２枚以上の樹脂板を積層させてもよい。また、積層させる樹脂板の高さ方向の幅は同一でなくてもよく、高さ方向の幅が異なった樹脂板を互いに組み合わせて調節してもよい。このように、高さ方向の幅が異なった樹脂板を互いに組み合わせることにより、積層させる樹脂板の枚数を減らすことができ、より簡単に樹脂板を積層させることが可能になる。また、樹脂板同士の貼り合わせには、接着剤を用いて樹脂板同士を接着してもよいし、接着以外の方法でもよい。例えば、樹脂板同士を重ね合わせておき、この重ね合わせた樹脂板をベルト等により締め付けて固定してもよい。
【００２６】
また、図３（ｂ）に示すように、本実施の形態の緩衝用マット２１は、２枚の平板からなるライナーの間を互いに平行に走る多数のリブが接続された構造を有するプラスチック段ボールである場合には、樹脂板２３，２４を積層する際に、それぞれの樹脂板のリブ２５，２６が互いに交差するように積層されていることが好ましい。複数の樹脂板をこのように積層することにより、緩衝用マットの上下方向に対する強度を向上させることができ、緩衝用マットの耐久性を向上させることが可能になる。また、上記した第１の実施の形態に係る緩衝用マットと同様、樹脂部材の両面に気泡性緩衝シートを貼り合わせてもよい。
【００２７】
次に、本発明の第３の実施の形態の緩衝用マットについて、図４に基づいて説明する。図４は、本発明の第３の実施の形態に係る緩衝用マットの構成を表した分解斜視図である。なお、本実施の形態に係る緩衝用マットの構成について、第１の実施の形態と同一の部分はその説明を省略する。
【００２８】
図４に示すように、本実施の形態の緩衝用マット３１は、樹脂部材３２が芯部材３３、第１樹脂板３４ａ、第２樹脂板３４ｂから構成されており、芯部材３３は、第１樹脂板３４ａ及び第２樹脂板３４ｂの間に積層されている。第１樹脂板３４ａには、上面側に第１気泡性発泡シート３５が貼り合わせられており、第２樹脂板３４ｂには、下面側に第２気泡性発泡シート３６が貼り合わせられている。なお、図４においては、芯部材３３の上面側に１枚の第１樹脂板３４ａを貼り合わせ、芯部材３３の下面側に１枚の第２樹脂板３４ｂを貼り合わせているが、複数枚の樹脂板を積層させてもよい。この場合、上記したプラスチック段ボールを樹脂板に使用する場合には、それぞれの樹脂板のリブが互いに交差するように積層されていることが、緩衝用マット３１の強度を向上させる観点から好ましい。
【００２９】
芯部材３３には、多孔質構造を有する樹脂板３７，３８，３９に２つの空間部４０，４１が形成されている。これらの空間部４０，４１は、各樹脂板３７〜３９においてリブとリブとの間に形成された空間によって緩衝用マット３１の外部と連通しており、緩衝用マット３１の外側端部から流入する空気が空間部４０，４１まで到達するようになっている。この空間部４０，４１は、例えば、遠赤外線を出す石粉、乾燥ハーブ、香料等により構成される充填材（図示せず）を充填するためのスペースである。なお、充填材を構成するものとしては、上記した石や乾燥ハーブ等に限定されるものではない。また、この空間部４０，４１には、充填材に替えてアロマオイルを染み込ませた布地等を置いてもよい。
【００３０】
このように、本実施の形態に係る緩衝用シート３１によれば、リブとリブとの間に形成された空間を通じて空気が流入すると、空間部４０，４１に充填した充填材の香りを緩衝用マット３１の外部へ放出することができ、緩衝用マット３１の使用者がよりリラックスできる状態を形成することが可能になる。
【００３１】
なお、この芯部材３３は、１枚の樹脂板から形成してもよいし、図４に示すように複数枚の樹脂板３７〜３９を積層させて形成してもよい。また、複数枚の樹脂板３７〜３９を積層させて芯部材３３を形成した場合には、図４に示すように、芯部材３３を構成するそれぞれの樹脂板３７〜３９のリブが互いに交差するように積層されてもよい。このように形成することで、緩衝用マット３１の強度が向上するばかりでなく、空間部４０，４１の容積をより大きく確保することが可能になるので、充填材を充填可能な容量を増加させることが可能になる。また、芯部材３３に使用する樹脂板の枚数を調整することによって、空間部４０，４１の容積も調整することが可能になる。さらに、乾燥ハーブ、香料等のような香りを放出する充填材を用いた場合には、樹脂板３７〜３９のリブが互いに交差するように積層することで、複数の方向から空間部４０，４１に空気が流入し、さらに複数の方向から充填材の香りを外部へ放出させることができるので、使用者がさらにリラックスできる状態を形成することが可能になる。また、空間部の数は２つでなくてもよい。
【００３２】
なお、上記した第１〜第３の実施の形態に係る緩衝用マットは、そのまま使用することも可能であるが、使用者の寝心地や座り心地をより向上させる観点、及び、緩衝用マットの衛生的な状態を維持する観点から、カバー体に収納して使用することが好ましい。カバー体には、例えば不織布又は織布を用いて袋状に形成されたものを用いることが好ましいが、これら以外の材質のものを用いてもよい。
【００３３】
次に、上記した第１〜第３の実施の形態に係る緩衝用マットを複数用いた折り畳み式緩衝用マットの構成について図５及び図６を用いて説明する。図５は、本発明の第１の実施の形態に係る緩衝用マットを複数用いた折り畳み式緩衝用マットにおいて、緩衝用マットを袋体へ収納するところを表した説明図、図６は、折り畳み式緩衝用マットの構成を表した外観斜視図である。なお、本実施の形態では、上記した第１の実施の形態に係る緩衝用マットを用いた例について説明するが、他の実施の形態に係る緩衝用マットを用いてもよい。
【００３４】
折り畳み式緩衝用マット５１は、緩衝用マット１を収納可能な収納部５２を有する袋体５３の内部に、緩衝用マット１が収納されるように構成されている。袋体５３の内部には３個の図示しない空間が形成されている。各空間は、袋体５３の内部において第１収納部５２ａ、第２収納部５２ｂ及び第３収納部５２ｃからなる３個の収納部として形成されており、それぞれの収納部５２ａ〜５２ｃは、緩衝用マット１が１個収納可能な大きさに形成されている。また、収納部５２ａと収納部５２ｂとの間、及び収納部５２ｂと収納部５２ｃとの間には折り畳み代５４ａ，５４ｂが形成されている。この折り畳み代５４ａ，５４ｂは、袋体５３の内部に形成された収納部５２を第１収納部５２ａ、第２収納部５２ｂ、第３収納部５３ｃに区画するとともに、折り畳み時に折り畳み代５４ａ，５４ｂの部分で袋体５３が屈曲させるためのものであり、緩衝用マット１の長手方向に沿って形成されている。本実施の形態では、折り畳み代５４ａは第１収納部５２ａと第２収納部５２ｂとの間において袋体５３の上面側に形成され、折り畳み代５４ｂは第２収納部５２ｂと第３収納部５２ｃとの間において袋体５３の下面側に形成されている。なお、図６における破線は、折り畳み代５４ａを便宜的に表したものである。なお、緩衝用マット１を第１〜第３収納部５２ａ〜５２ｃへ収納する場合には、折り畳み式緩衝用マット５１を広げたときに、気泡性緩衝シート２の貼られている面が揃うように各緩衝用マット１を収納することが望ましい。緩衝用マット１をこのように収納することで、例えば折り畳み式緩衝用マット５１を敷布団として使用する場合などに、保温力等のムラを解消することが可能になる。なお、袋体５３には、不織布又は織布で形成されることが好ましいが、これら以外の材質のものを用いてもよい。
【００３５】
このように、本発明に係る折り畳み式緩衝用マット５１は、非常に軽量で、かつ折り畳んだ場合には小型になるので、持ち運びを容易にすることが可能になる。また、各緩衝性マット１を第１〜第３収納部５２ａ〜５２ｃに収納することにより、折り畳んだ時は広げた時よりも緩衝性がよくなるので、例えば子供が乗るベビーカー等の前方に取り付けることで緩衝部材として用いることもでき、安全性も向上させることが可能になる。
【００３６】
本実施の形態に係る折り畳み式緩衝用マット５１は、例えば、緩衝用マット１の大きさを縦４５ｃｍ、横２０ｃｍ程度にし、袋体５３には、収納部５２を３〜４個形成して、上記した大きさの緩衝用マット１を収納部５２の数に応じた数だけ収納することで、屋外において使用可能な子供用の敷布団として使用することができる。また、この場合には、上記したベビーカーにおける安全性を向上させるための緩衝部材としても利用することができる。
【００３７】
また、本実施の形態に係る折り畳み式緩衝用マット５１は、例えば、緩衝用マット１の大きさを縦９０ｃｍ、横１５〜６５ｃｍ程度にし、袋体５３には、収納部５２を３〜１３個形成して、上記した大きさの緩衝用マット１を収納部５２の数に応じた数だけ収納することで、折り畳み式緩衝用マット５１を広げた時に大人が寝ることが可能な大きさの敷布団としても利用することができる。
【００３８】
また、本実施の形態に係る折り畳み式緩衝用マット５１は、樹脂部材３と気泡性緩衝シート２と袋体５３から構成されているので非常に軽量であり、保管時には押入れやクローゼットなどに、洋服と一緒に吊るして保管することができる。したがって、折り畳み式緩衝用マット５１を収納するための押入れスペース等を確保する必要がなく、スペース効率も向上させることが可能になる。
【００３９】
なお、本実施の形態に係る折り畳み式緩衝用マット５１は、一つの袋体５３に対して第１〜第３収納部５２ａ〜５２ｃを形成するようにしているが、収納部が一つ形成された袋体を複数接合して、この接合部分が折り畳み代となるように形成してもよいし、これ以外の方法で折り畳めるように形成してもよい。
【符号の説明】
【００４０】
１，１１，２１，３１  緩衝用マット
２，１２  気泡性緩衝シート
３，２２，  樹脂部材
４，２３，２４  樹脂板
５  ベースフィルム
６  エンボスフィルム
７  ライナー
７ａ，７ｂ  平板
８，２５，２６  リブ
３２  芯部材
３４ａ  第１樹脂板
３４ｂ  第２樹脂板
３５  第１気泡性緩衝シート
３６  第２気泡性緩衝シート
４０，４１  空間部
５１  折り畳み式緩衝用マット
５２  収納部
５２ａ  第１収納部
５２ｂ  第２収納部
５２ｃ  第３収納部
５３  袋体
５４ａ，５４ｂ  折り畳み代
【図１】
2011172613.tif 000003
【図２】
2011172613.tif 000004
【図３】
2011172613.tif 000005
【図４】
2011172613.tif 000006
【図５】
2011172613.tif 000007
【図６】
2011172613.tif 000008